【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
記憶手段，表示駆動手段及び制御手段を備えた表示制御装置と、記録端末装置とで構成され、
前記表示制御装置の前記制御手段は、映像データと、該映像データによって画面に表示されるオブジェクトに関連する関連情報とを前記表示制御装置の外部から取得した場合、該関連情報を前記記憶手段に記憶させるとともに、該映像データを前記表示駆動手段に供給し、
前記表示制御装置の前記表示駆動手段は、前記映像データを表示手段に表示させるとともに、該表示手段の画面を、前記記憶手段に記憶された前記関連情報によって変調した周期で点滅表示させ、
前記記録端末装置は、
前記表示手段の画面からの光を受光して電気信号に変換するための受光手段と、
前記受光手段によって変換された電気信号から前記関連情報を復調する復調手段と、
前記復調手段によって復調された前記関連情報を記憶する記憶手段と
を備えたことを特徴とするオブジェクトの関連情報の記録システム。
【請求項２】
請求項１に記載のオブジェクトの関連情報の記録システムにおいて、
前記表示制御装置の前記制御手段は、映像データと、該映像データ内の複数のオブジェクトに関連する関連情報と、前記複数のオブジェクトが画面上でそれぞれ位置する領域を示す領域情報とを前記表示制御装置の外部から受信した場合、各々の前記オブジェクト毎に前記領域情報と前記関連情報と対応させて前記記憶手段に記憶させるとともに、該映像データを前記表示駆動手段に供給し、
前記表示制御装置の前記表示駆動手段は、前記映像データを表示手段に表示させるとともに、該表示手段の画面のうち前記記憶手段に前記領域情報が記憶された領域の少なくとも一部の範囲を、該領域に対応する前記関連情報に応じて変調した周期で点滅表示させ、
前記記録端末装置の前記受光手段は、前記表示手段の画面上の１つずつの前記オブジェクトの表示領域からの光を電気信号に変換する
ことを特徴とするオブジェクトの関連情報の記録システム。
【請求項３】
請求項１に記載のオブジェクトの関連情報の記録システムにおいて、
前記表示制御装置の前記表示駆動手段は、人間の視覚特性上点滅として感じられない周期で前記点滅表示を行わせる
ことを特徴とするオブジェクトの関連情報の記録システム。
【請求項４】
請求項１に記載のオブジェクトの関連情報の記録システムにおいて、
前記表示制御装置の前記表示駆動手段は、前記点滅表示を行う領域における、所定の階調レベルに対応する輝度の一定期間内の積分値と、前記点滅表示を行わない領域における、前記所定の階調レベルに対応する輝度の前記一定期間内の積分値とが略等しくなるように、各々の領域の輝度の関係を設定する
ことを特徴とするオブジェクトの関連情報の記録システム。
【請求項５】
請求項１に記載のオブジェクトの関連情報の記録システムにおいて、
前記表示制御装置の前記表示駆動手段は、動画ボケの改善のための点灯期間及び消灯期間のうちの点灯期間に、該点灯期間よりも短い周期で前記点滅表示を行わせ、該周期を前記関連情報によって変調させる
ことを特徴とするオブジェクトの関連情報の記録システム。
【請求項６】
請求項１に記載のオブジェクトの関連情報の記録システムにおいて、
前記表示制御装置の前記表示駆動手段は、動画ボケの改善のための点灯期間及び消灯期間の繰り返し周期を、前記関連情報によって複数のフレームにまたがるように変調させる
ことを特徴とするオブジェクトの関連情報の記録システム。
【請求項７】
請求項１に記載のオブジェクトの関連情報の記録システムにおいて、
前記関連情報は、前記オブジェクトと同一内容の情報及び／または前記オブジェクトについての補足情報である
ことを特徴とするオブジェクトの関連情報の記録システム。
【請求項８】
請求項１に記載のオブジェクトの関連情報の記録システムにおいて、
前記関連情報は、前記オブジェクトについての情報を提供する情報提供装置の場所を示す情報であり、
前記記録端末装置は、
前記関連情報に基づいて前記情報提供装置との間で情報の送受信を行うための送受信手段
をさらに備え、該送受信手段によって受信した情報を前記記憶手段に記憶する
ことを特徴とするオブジェクトの関連情報の記録システム。
【請求項９】
表示制御装置が、映像データと、該映像データによって画面に表示されるオブジェクトに関連する関連情報とを前記表示制御装置の外部から取得する第１のステップと、
前記表示制御装置が、前記第１のステップで取得した前記関連情報を記憶手段に記憶させる第２のステップと、
前記表示制御装置が、前記第１のステップで取得した前記映像データを表示手段に表示させるとともに、該表示手段の画面を、第２のステップで記憶させた前記関連情報に応じて変調した周期で点滅表示させる第３のステップと、
記録端末装置が、前記表示手段の画面からの光を受光して電気信号に変換する第４のステップと、
前記記録端末装置が、前記第４のステップで変換した電気信号から前記関連情報を復調する第５のステップと、
前記記録端末装置が、前記第５のステップで復調した前記関連情報を記憶手段に記憶する第６のステップと
を有することを特徴とするオブジェクトの関連情報の記録方法。
【請求項１０】
記憶手段，表示駆動手段及び制御手段を備え、
前記制御手段は、映像データと、該映像データによって画面に表示されるオブジェクトに関連する関連情報とが前記表示制御装置の外部から供給された場合、該関連情報を前記記憶手段に記憶させるとともに、該映像データを前記表示駆動手段に供給し、
前記表示駆動手段は、前記映像受信手段から供給された映像データを表示手段に表示させるとともに、該表示手段の画面を、前記記憶手段に記憶された前記関連情報によって変調した周期で点滅表示させる
ことを特徴とする表示制御装置。
【請求項１１】
請求項１０に記載の表示制御装置において、
前記制御手段は、映像データと、該映像データ内の複数のオブジェクトに関連する関連情報と、前記複数のオブジェクトが画面上でそれぞれ位置する領域を示す領域情報とを前記表示制御装置の外部から受信した場合、各々の前記オブジェクト毎に前記領域情報と前記関連情報と対応させて前記記憶手段に記憶させるとともに、該映像データを前記表示駆動手段に供給し、
前記表示駆動手段は、前記映像データを表示手段に表示させるとともに、該表示手段の画面のうち前記記憶手段に前記領域情報が記憶された領域の少なくとも一部の範囲を、該領域に対応する前記関連情報に応じて変調した周期で点滅表示させる
ことを特徴とする表示制御装置。
【請求項１２】
請求項１０に記載の表示制御装置において、
前記表示駆動手段は、前記点滅表示を行う領域における、所定の階調レベルに対応する輝度の一定期間内の積分値と、前記点滅表示を行わない領域における、前記所定の階調レベルに対応する輝度の前記一定期間内の積分値とが略等しくなるように、各々の領域の輝度の関係を設定する
ことを特徴とする表示制御装置。
【請求項１３】
請求項１０に記載の表示制御装置において、
前記表示駆動手段は、動画ボケの改善のための点灯期間及び消灯期間のうちの点灯期間に、該点灯期間よりも短い周期で前記点滅表示を行わせ、該周期を前記関連情報によって変調させる
ことを特徴とする表示制御装置。
【請求項１４】
請求項１０に記載の表示制御装置において、
前記表示駆動手段は、動画ボケの改善のための点灯期間及び消灯期間の繰り返し周期を、前記関連情報によって複数のフレームにまたがるように変調させる
ことを特徴とする表示制御装置。
【請求項１５】
請求項１０に記載の表示制御装置において、
前記関連情報は、前記オブジェクトと同一内容の情報及び／または前記オブジェクトについての補足情報である
ことを特徴とする表示制御装置。
【請求項１６】
映像データと、該映像データによって画面に表示されるオブジェクトに関連する関連情報とを取得する第１のステップと、
前記第１のステップで取得した前記関連情報を記憶手段に記憶させる第２のステップと、
前記第１のステップで取得した前記映像データを表示手段に表示させるとともに、該表示手段の画面を、第２のステップで記憶させた前記関連情報に応じて変調した周期で点滅表示させる第３のステップと
を有することを特徴とする表示制御方法。
【請求項１７】
コンピュータに、
映像データと、該映像データによって画面に表示されるオブジェクトに関連する関連情報とを取得する第１の手順と、
前記第１の手順で取得した前記関連情報を記憶手段に記憶させる第２の手順と、
前記第１の手順で取得した前記映像データを表示手段に表示させるとともに、該表示手段の画面を、第２の手順で記憶させた前記関連情報に応じて変調した周期で点滅表示させる第３の手順と
を実行させることを特徴とするプログラム。
【請求項１８】
所定の情報によって変調した周期で点滅表示される表示手段の画面からの光を受光し、該光を電気信号に変換するための受光手段と、
前記受光手段によって変換された電気信号から、前記所定の情報を復調する復調手段と、
前記復調手段によって復調された情報を記憶する記憶手段と
を備えたことを特徴とする記録端末装置。
【請求項１９】
所定の情報によって変調した周期で点滅表示される表示手段の画面からの光を受光し、該光を電気信号に変換する第１のステップと、
前記第１のステップで変換した電気信号から、前記所定の情報を復調する第２のステップと、
前記第２のステップで復調した情報を記憶手段に記憶させる第３のステップと
を有することを特徴とする情報の記録方法。
【請求項２０】
コンピュータに、
所定の情報によって変調した周期で点滅表示される表示手段の画面から受光した光を光電変換させる第１の手順と、
前記第１の手順で光電変換させた信号から、前記所定の情報を復調させる第２の手順と、
前記第２の手順で復調させた情報を記憶手段に記憶させる第３の手順と
を実行させることを特徴とするプログラム。